(57)【要約】【課題】蓄熱装置（２０）とヒートポンプ装置（３０）とを備えた給湯システムにおいて、蓄熱装置（２０）とヒートポンプ装置（３０）の両方または一方を用いる複数パターンの給湯運転を可能にした場合に、給湯運転中に運転パターンが切り換わって給湯能力が低下しても給湯の設定温度を維持できるようにする。【解決手段】複数の運転パターン毎に予め最大出湯流量を定めておき、低能力の時の最大出湯流量を少なくして給湯温度を維持する。【選択図】　図１
2004101032.tif 000002
【特許請求の範囲】
【請求項１】
蓄熱材を用いた蓄熱装置（２０）と、冷媒回路のヒートポンプサイクルにより該蓄熱装置（２０）での温熱蓄熱を行うヒートポンプ装置（３０）と、蓄熱装置（２０）の温熱を利用して給湯を行う給湯装置（４０）と、上記各装置（２０，３０，４０）の運転を制御する運転制御手段（５０）とを備えた給湯システムであって、
給湯運転の運転パターンとして、蓄熱装置（２０）とヒートポンプ装置（３０）の両方を同時に起動する第１給湯運転と、その一方のみを起動する第２給湯運転とが可能に構成され、
運転制御手段（５０）は、各運転パターンで予め定められた最大出湯流量に基づいて給湯装置を制御するように構成されていることを特徴とする給湯システム。
【請求項２】
ヒートポンプ装置（３０）は、冷媒と蓄熱装置（２０）の蓄熱材とが熱交換可能に構成されるとともに、冷媒と給湯装置（４０）の水とが熱交換可能に構成され、
第１給湯運転が、蓄熱装置（２０）を給湯に用いながらヒートポンプ装置（３０）を蓄熱及び給湯に用いる運転パターンであり、第２給湯運転が、蓄熱装置（２０）の残蓄熱量がない状態でヒートポンプ装置（３０）を給湯に用いる運転パターンであり、
第２給湯運転の最大出湯流量が第１給湯運転の最大出湯流量よりも少なく設定されていることを特徴とする請求項１記載の給湯システム。
【請求項３】
複数の蓄熱装置（２０）と、各蓄熱装置（２０）に対応する複数のヒートポンプ装置（３０）とを備え、
ヒートポンプ装置（３０）は個別にデフロスト運転が可能に構成され、
運転制御手段（５０）は、第１給湯運転時及び第２給湯運転時に各ヒートポンプ装置（３０）のデフロスト運転を個別に行うとともに、各運転パターンにおいてデフロスト運転中には最大出湯流量を低減させる制御を行うことを特徴とする請求項２記載の給湯システム。
【請求項４】
給湯温度を検出する温度検出手段（５２）と、蓄熱装置（２０）からの温水の流量を制御する流量制御手段（４６）とを有し、
運転制御手段（５０）は、給湯運転中に常に給湯温度を検出しながら、給湯温度の低下を抑えるように流量制御を行うことを特徴とする請求項１から３のいずれか１記載の給湯システム。
【請求項５】
蓄熱材を用いた蓄熱装置（２０）と、冷媒回路のヒートポンプサイクルにより該蓄熱装置（２０）での温熱蓄熱を行うヒートポンプ装置（３０）と、蓄熱装置（２０）の温熱を利用して給湯を行う給湯装置（４０）と、上記各装置（２０，３０，４０）の運転を制御する運転制御手段（５０）とを備えた給湯システムであって、
給湯温度を検出する温度検出手段（５２）と、蓄熱装置（２０）からの温水の流量を制御する流量制御手段（４６）とを有し、
運転制御手段（５０）は、給湯運転中に常に給湯温度を検出しながら、給湯温度の低下を抑えるように流量制御を行うことを特徴とする給湯システム。
【請求項６】
運転制御手段（５０）は、給湯運転中に給湯温度が低下すると給湯の流量を減少させる制御を行うことを特徴とする請求項４または５記載の給湯システム。
【請求項７】
蓄熱装置（２０）の残蓄熱量を検出する残蓄熱量検出手段（５０，５５）　を備え、
運転制御手段（５０）は、残蓄熱量が少なくなると蓄熱装置（２０）からの温水の流量を減少させる制御を行うことを特徴とする請求項４から６のいずれか１記載の給湯システム。
【請求項８】
給湯装置（４０）は、蓄熱装置（２０）へ供給される水と蓄熱装置（２０）から出湯される温水とを混合する混合弁（４５）を備え、
運転制御手段（５０）は、上記混合弁（４５）による水と温水との混合比率を給湯の流量に応じて変化させるように構成されていることを特徴とする請求項１から７のいずれか１記載の給湯システム。
【発明の詳細な説明】
【０００１】
【発明の属する技術分野】
本発明は、蓄熱材を用いた蓄熱装置と、冷媒回路のヒートポンプサイクルにより該蓄熱装置で温熱蓄熱を行うヒートポンプ装置と、蓄熱装置の温熱を利用して給湯を行う給湯装置とを備えた給湯システムに関し、特に、該システムの運転制御技術に係るものである。
【０００２】
【従来の技術】
従来より、蓄熱材の融解熱を利用して温熱を蓄え、その温熱を給湯に利用する給湯システムが知られている（例えば、特許文献１参照）。この給湯システムでは、蓄熱槽に蓄熱材を貯留すると共に、蓄熱槽内に熱交換器を設置している。また、温熱蓄熱の熱源装置としては、例えばヒートポンプ装置を用いることが記載されている。
【０００３】
この蓄熱装置において、温熱を蓄える場合には、熱源装置の熱媒体が熱交換器の伝熱管を流れる。この場合、熱媒体は、蓄熱槽内の蓄熱材に対して放熱する。そして、蓄熱材が熱媒体から吸熱して融解し、熱媒体の温熱が蓄熱材の融解熱として蓄えられる。一方、蓄えられた温熱を取り出す場合には、水道水等の熱媒体が熱交換器の伝熱管を流れる。この場合、蓄熱槽内の蓄熱媒体は、伝熱管内の熱媒体へ放熱して凝固する。そして、水道水などの熱媒体が蓄熱槽内の蓄熱材から吸熱して暖められ、利用側へ供給される。
【０００４】
ところで、この種の給湯システムでは、蓄熱装置の温熱利用による給湯を行うのと同時に、ヒートポンプ装置を蓄熱にも給湯にも利用する構成にすることが可能であると考えられる。そうすることにより、給湯運転は、蓄熱装置とヒートポンプ装置の両方を同時に起動する運転や、その一方のみを起動する運転など、幅広い運転パターンが可能となる。
【０００５】
【特許文献１】
特開２００１−２０７１６３号公報
【０００６】
【発明が解決しようとする課題】
しかし、上述のように複数の運転パターンを可能にした構成において、例えば蓄熱装置とヒートポンプ装置の両方を同時に運転しているときに、蓄熱装置の残蓄熱量が低下しているのに一定流量で給湯を続けると、早期に蓄熱量がゼロになってヒートポンプのみで給湯する運転に切り換わってしまい、しかもそのまま一定流量での給湯を続けると加熱量の不足により給湯温度がそれまでより低下してしまうことになる。つまり、蓄熱装置とヒートポンプ装置とを備えた給湯システムで上述したような複数の給湯運転パターンを可能にすると、運転パターンが切り換わったときにユーザーの設定温度での給湯が行えなくなるおそれがある。
【０００７】
本発明は、このような問題点に鑑みて創案されたものであり、その目的とするところは、蓄熱装置とヒートポンプ装置を用いて複数の給湯運転パターンを可能にした給湯システムにおいて、連続給湯を行う際に運転パターンが切り換わっても、給湯の設定温度が低下するのを抑えることである。
【０００８】
【課題を解決するための手段】
本発明は、複数の運転パターン毎に予め最大出湯流量を定めて流量制御を行うか、常に給湯温度を検出しながらその給湯温度に応じた流量制御を行うようにしたものである。
【０００９】
具体的に、請求項１に記載の発明は、蓄熱材を用いた蓄熱装置（２０）と、冷媒回路のヒートポンプサイクルにより該蓄熱装置（２０）での温熱蓄熱を行うヒートポンプ装置（３０）と、蓄熱装置（２０）の温熱を利用して給湯を行う給湯装置（４０）と、上記各装置（２０，３０，４０）の運転を制御する運転制御手段（５０）とを備えた給湯システムを前提としている。
【００１０】
そして、この給湯システムは、給湯運転の運転パターンとして、蓄熱装置（２０）とヒートポンプ装置（３０）の両方を同時に起動する第１給湯運転と、その一方のみを起動する第２給湯運転とが可能に構成され、運転制御手段（５０）が、各運転パターンで予め定められた最大出湯流量に基づいて給湯装置を制御するように構成されていることを特徴としている。
【００１１】
この請求項１の発明では、複数の運転パターンのうち、給湯能力の大きい運転パターンでは最大出湯流量を多く設定し、それよりも給湯能力の小さい運転パターンでは最大出湯流量を少なく設定することができるので、運転パターンに見合った流量で給湯運転を行うことが可能となる。これにより、能力以上の給湯を続けることを防止できる。したがって、残蓄熱量が早期に低下するのを抑えることができるとともに、給湯の運転パターンが大能力から小能力に切り替わると流量が少なくなるので給湯温度の低下も防止できる。
【００１２】
また、請求項２に記載の発明は、請求項１に記載の給湯システムにおいて、ヒートポンプ装置（３０）が、冷媒と蓄熱装置（２０）の蓄熱材とが熱交換可能に構成されるとともに、冷媒と給湯装置（４０）の水とが熱交換可能に構成され、第１給湯運転が、蓄熱装置（２０）を給湯に用いながらヒートポンプ装置（３０）を蓄熱及び給湯に用いる運転パターンであり、第２給湯運転が、蓄熱装置（２０）の残蓄熱量がない状態でヒートポンプ装置（３０）を給湯に用いる運転パターンであり、さらに、第２給湯運転の最大出湯流量が第１給湯運転の最大出湯流量よりも少なく設定されていることを特徴としている。この場合、蓄熱装置（２０）における残蓄熱量の有無に基づいた制御が行われるが、残蓄熱量の有無は、例えば蓄熱装置（２０）における温度などの状態値から検出することが可能である。
【００１３】
この請求項２の発明では、ヒートポンプ装置（３０）と蓄熱装置（２０）の両方を給湯に用いることのできる第１給湯運転においては給湯能力が大きいために最大出湯流量を多く、ヒートポンプ装置（３０）のみを給湯に用いるために第１給湯運転よりも給湯能力の小さい第２給湯運転においては最大出湯流量を少なく設定しているので、請求項１の発明の動作を確実に行い、残蓄熱量の早期低下を確実に抑えられる。また、第１給湯運転では給湯しながら蓄熱を行うことが可能であるので、残蓄熱量が早期に低下しない。
【００１４】
また、請求項３に記載の発明は、請求項２に記載の給湯システムにおいて、複数の蓄熱装置（２０）と、各蓄熱装置（２０）に対応する複数のヒートポンプ装置（３０）とを備えるとともに、ヒートポンプ装置（３０）が個別にデフロスト運転可能に構成され、さらに、運転制御手段（５０）が、第１給湯運転時及び第２給湯運転時に各ヒートポンプ装置（３０）のデフロスト運転を個別に行うとともに、各運転パターンにおいてデフロスト運転中には最大出湯流量を低減させる制御を行うことを特徴としている。
【００１５】
この請求項３の発明では、複数の蓄熱装置（２０）と、各蓄熱装置（２０）に対応するヒートポンプ装置（３０）とを備えるシステムで、冬期などにヒートポンプ装置（３０）のデフロスト運転が必要になった場合は、デフロスト運転が各ヒートポンプ装置（３０）について個別に行われる。そして、第１給湯運転及び第２給湯運転のいずれの運転パターンでも、給湯能力の低下するデフロスト運転中は最大出湯流量が減少する。このため、第１給湯運転のデフロスト中には残蓄熱量が早期になくなるのを防止でき、第２給湯運転のデフロスト中には能力以上の運転が行われるのを防止できる。
【００１６】
また、請求項４に記載の発明は、請求項１から３のいずれか１に記載の給湯システムにおいて、給湯温度を検出する温度検出手段（５２）と、蓄熱装置（２０）からの温水の流量を制御する流量制御手段（４６）とを有し、運転制御手段（５０）が、給湯運転中に常に給湯温度を検出しながら、給湯温度の低下を抑えるように流量制御を行うことを特徴としている。
【００１７】
この請求項４の発明では、請求項１から請求項３の発明において複数の給湯運転パターン毎に定められた最大出湯流量に基づいて給湯運転を行う際に、目標とする給湯温度が低下しないように、運転パターンに応じた流量制御が行われる。具体的には、例えば請求項６の発明のように、給湯運転中に給湯温度が低下し始めると給湯の流量を減少させる制御を行うことにより、給湯温度を維持できる。
【００１８】
また、請求項５に記載の発明は、請求項１の発明と同様に、蓄熱材を用いた蓄熱装置（２０）と、冷媒回路のヒートポンプサイクルにより該蓄熱装置（２０）での温熱蓄熱を行うヒートポンプ装置（３０）と、蓄熱装置（２０）の温熱を利用して給湯を行う給湯装置（４０）と、上記各装置（２０，３０，４０）の運転を制御する運転制御手段（５０）とを備えた給湯システムを前提としている。
【００１９】
そして、この給湯システムは、給湯温度を検出する温度検出手段（５２）と、蓄熱装置（２０）からの温水の流量を制御する流量制御手段（４６）とを有し、運転制御手段（５０）が、給湯運転中に常に給湯温度を検出しながら、給湯温度の低下を抑えるように流量制御を行うことを特徴としている。つまり、この発明は、運転パターンに拘わらず、常に給湯温度が低下しないように流量制御を行うものである。
【００２０】
この請求項５の発明では、給湯運転を行う際に、運転パターンに拘わらず目標とする給湯温度が低下しないように給湯の流量制御が行われる。例えば、請求項６の発明のように、給湯運転中に給湯温度が低下し始めると給湯の流量を減少させる制御を行うことにより、給湯温度を維持できる。
【００２１】
また、請求項６に記載の発明は、請求項４または５に記載の給湯システムにおいて、運転制御手段（５０）が、給湯運転中に給湯温度が低下すると給湯の流量を減少させる制御を行うようにしたことを特徴としている。給湯の流量を減少させると、蓄熱装置（２０）から出湯される温水の流量を少なくすることができ、ヒートポンプ装置（３０）の冷媒と熱交換する温水の流量も少なくできるので、上述のように給湯温度の低下を防止できる。
【００２２】
また、請求項７に記載の発明は、請求項４から６のいずれか１に記載の給湯システムにおいて、蓄熱装置（２０）の残蓄熱量を検出する残蓄熱量検出手段（５０，５５）　を備え、運転制御手段（５０）が、残蓄熱量が少なくなると蓄熱装置（２０）からの温水の流量を減少させる制御を行うことを特徴としている。
【００２３】
この請求項７の発明では、第１給湯運転中に蓄熱装置（２０）の残蓄熱量が少なくなってきたら給湯の流量を減少させることにより、残蓄熱量が早期になくなるのを防止するとともに、運転パターンが切り換わったときに流量を少なく抑えることができるため、給湯温度が急に低下するのを防止できる。
【００２４】
また、請求項８に記載の発明は、請求項１から７のいずれか１に記載の給湯システムにおいて、給湯装置（４０）が、蓄熱装置（２０）へ供給される水と蓄熱装置（２０）からの温水とを混合する混合弁（４５）を備え、運転制御手段（５０）が、上記混合弁（４５）による水と温水との混合比率を給湯の流量に応じて変化させるように構成されていることを特徴としている。
【００２５】
この請求項８の発明では、混合弁（４５）による水と温水との混合比率を給湯の流量に応じて変化させることにより、例えば給湯の設定温度が高めのときは温水の比率を多く、給湯の設定温度が低めの時は温水の比率を少なくする制御を行う。
【００２６】
【発明の実施の形態１】
以下、本発明の実施形態１を図面に基づいて詳細に説明する。
【００２７】
図１は、本実施形態に係る給湯システム（１０）の概略構成図である。この給湯システム（１０）は、潜熱蓄熱材を用いた蓄熱装置（２０）と、冷媒回路のヒートポンプサイクルにより該蓄熱装置（２０）での温熱蓄熱を主に行うヒートポンプ装置（３０）と、蓄熱装置（２０）の温熱を主に利用して給湯を行う給湯装置（４０）と、上記各装置（２０，３０，４０）の運転を制御するコントローラ（運転制御手段）（５０）とを備えている。上記給湯装置（４０）は、給湯用回路（４１）と、追い焚き用回路（４２）とを備えている。
【００２８】
上記蓄熱装置（２０）は、低温側蓄熱装置（２１）及び高温側蓄熱装置（２２）を備えている。低温側蓄熱装置（２１）には、蓄熱用伝熱管（２３）と出湯用伝熱管（２４）とが設けられている。一方、高温側蓄熱装置（２２）には、蓄熱用伝熱管（２３）と出湯用伝熱管（２４）と追い焚き用伝熱管（２５）とが設けられている。
【００２９】
低温側蓄熱装置（２１）と高温側蓄熱装置（２２）は、互いに融点が異なる潜熱蓄熱材を用いたものであり、低温側蓄熱装置（２１）には、低融点蓄熱材（例えば融点が３１℃の硫酸ナトリウム１０水和物（Ｎａ２ＳＯ４・１０Ｈ２Ｏ）など）が図示しない密閉容器に充填され、高温側蓄熱装置（２２）には、それよりも融点の高い高融点蓄熱材（例えば融点が５５℃の酢酸ナトリウム３水和物（ＣＨ３ＣＯＯＮａ・３Ｈ２Ｏ　）など）が密閉容器に充填されている。低融点蓄熱材としては、融点が２０℃以上４０℃以下の物質を用いるのが望ましく、高融点蓄熱材としては、融点が５０℃以上９０℃以下の物質を用いるのが望ましい。
【００３０】
上記ヒートポンプ装置（３０）は、低温側蓄熱装置（２１）に対応する第１ヒートポンプ装置（３１）と、高温側蓄熱装置（２２）に対応する第２ヒートポンプ装置（３２）とから構成されている。第１ヒートポンプ装置（３１）及び第２ヒートポンプ装置（３２）は、それぞれ、蒸気圧縮式冷凍サイクルを行う冷媒回路により構成されている。この冷媒回路には、例えばＨＦＣ系やＨＣ系の冷媒が充填されている。
【００３１】
冷媒回路は、圧縮機（３３）、上記蓄熱用伝熱管（２３）、レシーバ（３４）、膨張弁（３５）、そして室外熱交換器（３６）を、冷媒配管で順に接続することにより閉回路に構成されている。また、冷媒回路には、デフロスト運転用のバイパス通路（３７）が設けられている。このバイパス通路（３７）は、ガスライン（ＧＬ）における圧縮機（３３）と蓄熱用伝熱管（２３）との間の配管と、液ライン（ＬＬ）における膨張弁（３５）と室外熱交換器（３６）との間の配管とに接続されている。バイパス通路（３７）には、電磁弁などの開閉弁（３８）と、キャピラリチューブ（３９）とが設けられている。この回路構成において、例えば冬期に室外熱交換器（３６）に着霜した場合には、第１ヒートポンプ装置（３１）または第２ヒートポンプ装置（３２）について個別にデフロスト運転を行うことができるようになっている。
【００３２】
上記室外熱交換器（３６）は、いわゆるクロスフィン型のフィン・アンド・チューブ熱交換器により構成されている。この室外熱交換器（３６）は、冷媒回路の冷媒を室外空気と熱交換させるものであり、その近傍には、該室外熱交換器（３６）に通風するための室外ファンが設けられている（図示せず）。
【００３３】
上記給湯用回路（４１）は、その始端が上水道に接続され、終端が給水栓（４３）に接続されている。また、給湯用回路（４１）には、各蓄熱装置（２１，２２）　の出湯用伝熱管（２４，２４）　が直列に接続されている。この給湯用回路（４１）において、低温側蓄熱装置（２１）の出湯用伝熱管（２４）は、高温側蓄熱装置（２２）の出湯用伝熱管（２４）の上流側に配置されている。そして、この給湯用回路（４１）では、水道水が熱媒体として流通する。
【００３４】
給湯用回路（４１）には、バイパス管（４４）が設けられている。このバイパス管（４４）は、その一端が低温側蓄熱装置（２１）の出湯用伝熱管（２４）の上流側に接続され、その他端が高温側蓄熱装置（２２）の出湯用伝熱管（２４）の下流側に混合弁（４５）を介して接続されている。この混合弁（４５）を操作すると、高温側蓄熱装置（２１）からの温水とバイパス管（４４）からの水道水との混合割合が変化する。また、高温側蓄熱装置（２２）の出湯用伝熱管（２４）と混合弁（４５）との間には、出湯用伝熱管（２４）からの温水の流量を調整するための流量制御弁（４６）が設けられている。
【００３５】
給湯用回路（４１）には、風呂注湯管（４７）が接続されている。風呂注湯管（４７）は、その始端が給湯用回路（４１）における混合弁（４５）と給水栓（４３）の間に接続され、その終端が上記追い焚き用回路（４２）を介して浴槽（１５）に接続されている。この風呂注湯管（４７）には、風呂注湯弁（４８）が設けられている。
【００３６】
上記追い焚き用回路（４２）は、その両端が浴槽（１５）に接続されている。また、この追い焚き用回路（４２）には、高温側蓄熱装置（２２）の追い焚き用伝熱管（２５）と追い焚き用ポンプ（４９）とが接続されている。そして、この追い焚き用回路（４２）では、浴槽（１５）から送り出された温水が熱媒体として流通する。
【００３７】
一方、上記各ヒートポンプ装置（３１，３２）　の冷媒回路には、圧縮機（３３）の吐出側に、高圧遮断用圧力スイッチ（５１）が設けられている。また、給湯用回路（４２）には、混合弁（４５）の下流側における給湯温度を検出するための給湯温度センサ（５２）と、その給湯流量を検出するための給湯流量センサ（５３）とが設けられている。
【００３８】
上記コントローラ（５０）には、上記給湯温度センサ（５２）、及び給湯流量センサ（５３）が接続されるとともに、上記混合弁（４５）、流量制御弁（４６）、風呂注湯弁（４８）及び追い焚き用ポンプ（４９）が接続されている。また、コントローラ（５０）は、各ヒートポンプ装置（３１，３２）　に設けられている制御板（５４）に接続されている。各制御板（５４）は、冷媒回路における動作を制御し、デフロスト運転の制御も行う。また、コントローラ（５０）は、システム全体の運転動作を制御するように構成されている。
【００３９】
高圧遮断用圧力スイッチ（５１）は、蓄熱材の温度が蓄熱終了温度に達した直後の冷媒の高圧圧力に相当する値を設定値としている。そして、蓄熱運転時の冷媒の高圧圧力がこの設定値に達することにより、圧縮機（３３）の運転を停止するように構成されている。つまり、蓄熱運転時に潜熱蓄熱材が固体から融解して液体に相変化するときには温度は変化せず、融解完了後に温度が上昇し始めるのに対して、蓄熱材の融解完了後にも蓄熱運転を継続すると、蓄熱材の温度上昇によりヒートポンプ装置（３０）の冷媒回路において高圧冷媒が該蓄熱材から吸熱して温度と圧力が上昇してしまうので、冷媒回路の実際の高圧圧力が上記設定値に達すると圧縮機（３３）を停止するようにしている。これにより、蓄熱運転時に蓄熱材を過度に加熱しないようにし、ヒートポンプ装置（３０）の冷媒回路において高圧圧力の過度の上昇も生じないようにしている。
【００４０】
また、コントローラ（５０）は、給湯運転中には給湯温度がすぐに低下してしまわないような制御を行うように構成されている。具体的には、このシステムでは、蓄熱装置（２０）の残蓄熱量があるときに蓄熱装置（２０）とともにヒートポンプ装置（３０）も使って給湯をする運転（第１給湯運転）と、蓄熱装置（２０）の残蓄熱量がなくなったときにヒートポンプ装置（３０）のみで給湯をする運転（第２給湯運転）とが可能であり、それぞれの運転パターンで個別に予め最大出湯流量を定めておき、その最大出湯流量を超えない運転をすることで、運転パターンが切り替わっても給湯温度が急激に低下しないようにしている。なお、この運転制御を行う際には蓄熱装置（２０）の残蓄熱量が残っているか無くなったかを検出する必要があるが、その検出は、例えば、蓄熱材が凝固すると温度が低下することから、その温度変化に基づいて判断することができる。また、コントローラ（５０）は、給湯運転中に給湯温度を常に検出しながら、給湯温度が低下し出すと給湯流量を減少させる制御も行う。
【００４１】
−運転動作−
次に、この給湯システム（１０）の運転動作について説明する。本実施形態の給湯システム（１０）では、蓄熱装置（２０）に温熱を蓄える蓄熱運転と、蓄熱装置（２０）に蓄えた温熱あるいはヒートポンプ装置（３０）で生成した温熱を利用して給湯等を行う給湯運転とが行われる。
【００４２】
《蓄熱運転》
まず、蓄熱運転について説明する。この蓄熱運転時には、ヒートポンプ装置（３０）が運転される一方、給湯装置（４０）は停止している。この運転時、第１，第２ヒートポンプ装置（３１，３２）　において圧縮機（３３）が運転され、冷媒回路で冷媒が循環して冷凍サイクルが行われる。
【００４３】
具体的には、各ヒートポンプ装置（３１，３２）　の圧縮機（３３）から吐出された冷媒は、蓄熱装置（２０）の蓄熱用伝熱管（２３）を流れるときに該蓄熱装置（２０）の蓄熱材と熱交換を行って冷却され、凝縮する。このとき、蓄熱材は冷媒から吸熱して加熱され、蓄熱装置（２０）において蓄熱材の融解の潜熱が蓄えられる。なお、上述したように、低温側蓄熱装置（２１）と高温側蓄熱装置（２２）において異なる融点の潜熱蓄熱材が用いられており、これに対応して冷媒の凝縮温度も異なる温度に設定されている。
【００４４】
蓄熱用伝熱管（２３）を流出した液冷媒は一旦レシーバ（３４）に流入し、該レシーバ（３４）から出た後に膨張弁（３５）において減圧され、その後に室外熱交換器（３６）へ導入される。室外熱交換器（３６）では、冷媒が室外空気から吸熱して蒸発する。室外熱交換器（３６）で蒸発した冷媒は圧縮機（３３）に吸入され、該圧縮機（３３）は冷媒を圧縮して吐出する動作を繰り返す。以上の動作により、蓄熱運転時には、低温側蓄熱装置（２１）及び高温側蓄熱装置（２２）において、異なる温度レベルの温熱が蓄えられる。
【００４５】
本実施形態では、上述したようにヒートポンプ装置（３０）の各冷媒回路における圧縮機（３３）の吐出側に高圧遮断用圧力スイッチ（５１）を設け、蓄熱運転時に冷媒回路の高圧圧力が所定値に達したときに圧縮機（３３）の運転を停止するようにしている。そこで、この動作について説明する。
【００４６】
蓄熱運転時、蓄熱材は固体から融解して液体に相変化するときには温度が変化せず、融解完了後に温度が上昇する。ここで、蓄熱材の融解中にはその温度が上昇しないことから、該蓄熱材と熱交換している冷媒の温度も基本的に一定である。一方、蓄熱材の融解完了後にも蓄熱運転を継続していると蓄熱材の温度が顕熱域に入って上昇するため、そのままではヒートポンプ装置（３０）の冷媒回路において高圧冷媒が該蓄熱材から吸熱して、冷媒の温度と圧力が上昇してしまうことになる。
【００４７】
これに対して、本実施形態では、上述したように、蓄熱材の温度が潜熱域での蓄熱終了直後の温度に達したときの冷媒の高圧圧力を、予め高圧遮断用圧力スイッチ（５１）の設定値にしておき、冷媒回路における実際の高圧圧力がこの設定値に達すると圧縮機（３３）を停止するようにしている。このようにすると、蓄熱運転時に蓄熱材が顕熱域において温度上昇を続けることがないので、蓄熱材の過度の加熱による運転の無駄を防止できる。
【００４８】
このように高圧遮断用圧力スイッチ（５１）により蓄熱運転時に圧縮機（３３）を停止させる動作は、各ヒートポンプ装置（３１，３２）　について個別に行われる。
【００４９】
《給湯運転》
次に、給湯運転について説明する。この実施形態では、給湯運転として、蓄熱装置（２０）の残蓄熱量があるときに蓄熱装置（２０）とともにヒートポンプ装置（３０）も使って給湯をする第１給湯運転と、蓄熱装置（２０）の残蓄熱量がなくなったときにヒートポンプ装置（３０）のみで給湯をする第２給湯運転との、２つの運転パターンが可能である。また、第１給湯運転及び第２給湯運転時には、いずれも、第１，第２ヒートポンプ装置（３１，３２）　のデフロスト運転を個別に行うことができるようになっている。
【００５０】
上記第１給湯運転は、蓄熱装置（２０）を給湯に用いながらヒートポンプ装置（３０）を蓄熱及び給湯に用いる運転であり、給水栓（４３）や風呂注湯弁（３７）を開き、上水道から圧送された水道水を温水にして給湯に供する。このとき、蓄熱装置（２０）の温熱が水道水に与えられるとともに、ヒートポンプ装置（３０）において冷媒回路内で蓄熱運転時と同様に冷媒が循環し、冷媒の温熱が蓄熱装置（２０）の蓄熱材と給湯装置（２０）の水道水に与えられる。ヒートポンプ装置（３０）の動作自体は蓄熱運転時と同じであり、異なるのは冷媒の熱が蓄熱材だけでなく水道水にも与えられる点である。
【００５１】
一方、給湯装置（４０）において、上水道から給湯用回路（４１）へ流入した水道水は、低温側蓄熱装置（２１）の出湯用伝熱管（２４）へ導入され、この低温側蓄熱装置（２１）の低融点蓄熱材とヒートポンプ装置（３０）の冷媒とから吸熱して加熱される。また、低融点蓄熱材から吸熱した水道水は、さらに高温側蓄熱装置（２２）の出湯用伝熱管（２４）へ導入され、この高温側蓄熱装置（２２）の高融点蓄熱材とヒートポンプ装置（３０）の冷媒とから吸熱する。そして、低融点蓄熱材と高融点蓄熱材の両方から吸熱した水道水は、温水となって給水栓（４３）や浴槽（１５）に供給される。その際、流量制御弁（４６）の開度を調整して出湯用伝熱管（２４）からの温水の流量が変化するとともに、混合弁（４５）を操作することで、バイパス管（４４）を通じて混入される水道水の量が変化し、給水栓（４３）や浴槽（１５）への給湯の温度が調節される。
【００５２】
このように、第１給湯運転時の蓄熱装置（２０）において、上水道からの水道水は、先に低温側蓄熱装置（２１）の蓄熱用伝熱管（２３）へ導入されて低融点蓄熱材から吸熱し、その温度がある程度上昇した後に高温側蓄熱装置（２２）の蓄熱用伝熱管（２３）へ導入されて高融点蓄熱材から更に吸熱する。このため、水道水は、低融点蓄熱材に蓄えられた温熱によって暖められた後、高融点蓄熱材に蓄えられた温熱によって更に暖められ、比較的高温の温水となって供給される。
【００５３】
また、第１給湯運転時において、浴槽（１５）内の温水を再加熱する必要が生じると、追い焚き用ポンプ（４９）が運転される。追い焚き用ポンプ（４９）を運転すると、浴槽（１５）から温水が追い焚き用回路（４２）へ取り込まれ、この温水が高温側蓄熱装置（２２）の追い焚き用伝熱管（２５）へ導入される。そして、この温水は、追い焚き用伝熱管（２５）を流れる間に高融点蓄熱材から吸熱し、その温度が上昇した後に浴槽（１５）へ送り返される。
【００５４】
第１給湯運転時には、ヒートポンプ装置（３０）を起動しているため、ヒートポンプ装置（３０）により生成された温熱が蓄熱装置（２０）に与えられている。したがって、給湯用回路（４１）や追い焚き用回路（４２）を流れる水道水は、低温側蓄熱装置（３１）と高温側蓄熱装置（２２）に蓄えられている温熱に加えて、該ヒートポンプ装置（３０）の温熱も吸熱して加熱される。また、蓄熱材は、給湯用回路（４１）や追い焚き用回路（４２）の温水に温熱を与える一方、ヒートポンプ装置（２２）からは温熱を奪うので、水道水への放熱による凝固がすぐには始まらない。つまり、蓄熱装置（２０）の残蓄熱量が早期に低下することはない。
【００５５】
一方、第１給湯運転時に蓄熱装置（２０）の残蓄熱量が早期には低下しないといっても、運転を続けていればやがて蓄熱装置（２０）に蓄えられている温熱は使い尽くされることになる。そして、そのときはヒートポンプ装置（３０）のみを給湯に用いる第２給湯運転が行われる。
【００５６】
この第２給湯運転では、第１給湯運転とは異なり、蓄熱装置（２０）において、給湯用回路（４１）の水道水や追い焚き用回路（４２）の温水に対して、温熱はヒートポンプ装置（３０）からのみ与えられる。なお、この第２給湯運転時には、ヒートポンプ装置（３０）の温熱は主に給湯用回路（４１）の水道水や追い焚き用回路（４２）の温水に与えられるが、給湯温度の設定値が低く、出湯用伝熱管（２４）を流れる水道水の流量が少ない場合など、場合によってはヒートポンプ装置（３０）の温熱が蓄熱材にも与えられる。
【００５７】
上記の第１給湯運転時と第２給湯運転時にヒートポンプ装置（３１，３２）　の一方でデフロストを行うときは、ヒートポンプ装置（３１，３２）　の一方のみが給湯及び／または蓄熱に利用される運転となる。そして、デフロスト運転中のヒートポンプ装置は、膨張弁（３５）が全閉とされ、バイパス通路（３７）の開閉弁（３８）が開かれた状態となる。こうすることにより、圧縮機（３３）から吐出される高温の冷媒がバイパス通路（３７）の開閉弁（３８）とキャピラリチューブ（３９）を通って室外熱交換器（３６）を流れ、さらに圧縮機（３３）に吸入される。そして、室外熱交換器（３６）に付着した霜が、圧縮機（３３）からの冷媒の熱によって溶解する。
【００５８】
以上のように、本実施形態では、第１給湯運転と第２給湯運転に加えて、第１，第２給湯運転のそれぞれについてヒートポンプ装置（２０）の１台でデフロストを行う運転が可能であり、全部で４つの運転パターンがある。また、これらの４つの運転パターン毎に個別に最大出湯流量が定められており、上記コントローラ（５０）により、上記最大出湯流量を超えないように運転制御が行われる。給湯運転中は、給湯温度センサ（５２）により常に給湯温度が検出されている。そして、各運転パターンにおける最大出湯流量は、例えば第１給湯運転から第２給湯運転に切り換わったときのように給湯能力が低下しても、給湯温度が低下してしまわないようにするために定められている。
【００５９】
具体的には、デフロスト運転を含む複数の運転パターンのうち、給湯能力の大きい運転パターンでは最大出湯流量を多めに設定し、それよりも給湯能力の小さい運転パターンでは最大出湯流量を少なめに設定している。これにより、運転パターンに見合った流量で給湯運転を行うことが可能となり、能力以上の流量で給湯を続けることを防止できる。したがって、蓄熱装置（２０）の残蓄熱量が早期に低下したり、運転パターンが切り換わって低能力になっているのに一定流量を出し続けて給湯温度が低下したりするのを抑えられる。また、第１給湯運転中にはヒートポンプ装置（３０）が起動しており、給湯しながら蓄熱する動作が行われるので、その点からも残蓄熱量の早期低下を防止できる。
【００６０】
さらに、この実施形態１では、複数の給湯運転パターン毎に定められた最大出湯流量に基づいて給湯運転を行う際に、給湯温度が低下し出すと給湯流量を少なくするように混合弁（４５）と流量制御弁（４６）を調整し、実際には給湯温度が低下しないように一定に維持する制御が行われる。こうすることにより、給湯流量は若干少なくなるものの、給湯運転中に最も重要な給湯温度を設定温度に維持することができる。
【００６１】
−実施形態１の効果−
本実施形態１によれば、給湯能力の大きい運転パターンでは最大出湯流量を多めに設定し、それよりも給湯能力の小さい運転パターンでは最大出湯流量を少なめに設定して、各運転パターンに見合った流量で給湯運転を行うようにしているので、能力以上の流量で給湯を続けるのを防止することが可能となり、蓄熱装置（２０）の残蓄熱量が早期に低下するのを防止できる。また、このようにすると、運転パターンが切り換わって低能力になっているのに一定流量を出し続けて給湯温度が低下するのも防止できる。
【００６２】
さらに、給湯温度が低下し出すと給湯の流量を少なくするように混合弁（４５）と流量制御弁（４６）とを調整して流量を少なくするようにしているので、給湯温度が低下するのをより確実に防止できる。
【００６３】
【発明の実施の形態２】
本発明の実施形態２は、蓄熱運転の終了時にヒートポンプ装置（３０）を停止させる制御を、ヒートポンプ装置（３０）における冷媒回路の高圧圧力に基づいて行う代わりに、蓄熱材の温度の検出値に基づいて行うようにしたものである。
【００６４】
以下、実施形態１と異なる点についてのみ説明する。
【００６５】
この実施形態２では、図２に示すように、上記低温側蓄熱装置（２１）及び高温側蓄熱装置（２２）は、それぞれ、ケーシング（２６）内に、蓄熱材を含む複数の蓄熱ユニット（２７）をヒートポンプ装置（３０）の冷媒との熱交換経路における入口側から出口側まで順に積層することにより構成されている。具体的には、各蓄熱装置（２１，２２）　は、それぞれが直方体の密閉容器（２７ａ）　内に蓄熱材が充填された複数の蓄熱ユニット（２７）を積層し、各蓄熱ユニット（２７）の間に上記蓄熱用伝熱管（２３）や出湯用伝熱管（２４）を挟んだ構成としている。なお、図ではこれらの伝熱管（２３，２４）　を一つのパイプで簡略化している。また、図では省略しているが、高温側蓄熱装置（２２）の一部の蓄熱ユニット（２７）の間には追い焚き用伝熱管（２５）が配置されている。
【００６６】
蓄熱用伝熱管（２３）は、その中を流れる冷媒が蓄熱ユニット（２７）内の蓄熱材と熱交換可能で、かつ出湯用伝熱管（２４）を流れる熱媒水とも熱交換可能になっている。また、出湯用伝熱管（２４）は、その中を流れる水道水が蓄熱用伝熱管（２３）の冷媒と熱交換可能であるのに加えて、蓄熱ユニット（２７）内の蓄熱材とも熱交換可能になっている。さらに、追い焚き用伝熱管（２５）は、蓄熱ユニット（２７）内の蓄熱材と熱交換可能であるとともに、蓄熱用伝熱管（２３）の冷媒とも熱交換可能になっている。
【００６７】
そして、複数の蓄熱ユニット（２７）のそれぞれに、蓄熱材の温度を検出する温度検出手段として、温度センサ（５５）が設けられている。このことにより、上記蓄熱装置（２１，２２）　では、温度センサ（５５）が、蓄熱材と冷媒との熱交換経路の入口側から出口側に分散して配置されていることになる。
【００６８】
この実施形態２において、コントローラ（５０）は、蓄熱運転時に蓄熱材の融解後の温度上昇を上記温度センサ（５５）の検出値から検出すると、ヒートポンプ装置（３０）の圧縮機（３３）を停止するように構成されている。また、コントローラ（５０）は、蓄熱開始から各蓄熱ユニット（２７）における蓄熱材の融解後の温度上昇の開始までの経過時間を測定し、その温度上昇と蓄熱時間との関係から蓄熱装置（２１，２２）　における残蓄熱量を推定するように構成されている。
【００６９】
−運転動作−
この実施形態２の構成では、基本的には蓄熱材が融解（相変化）している間はその温度が上昇しないことから、蓄熱材の検出温度が一定であれば蓄熱が未完了であると判断できるため、その状態では圧縮機（３３）は停止せず、蓄熱運転が継続される。一方、上記温度センサ（５５）によって最も出口側の蓄熱ユニット（２７）において蓄熱材の融解後の温度上昇を検出すると、蓄熱が完了したと判断できることから、圧縮機（３３）を停止するようにしている。このようにすると、蓄熱運転時に蓄熱材を必要以上に加熱することがなく、運転の無駄をなくすことができる。
【００７０】
図３には、蓄熱中における蓄熱材の温度変化を縦軸に、蓄熱時間を横軸にとったグラフを示している。ｔ１からｔ８は、上記熱交換経路の入口側から出口側に配置された温度センサ（５５）における温度の推移を示している。ｔ１やｔ２で示す入口側の温度は、蓄熱時の加熱ですぐに顕熱域に入って上昇しているが、ｔ３からｔ８までの温度は、蓄熱材の融点で一旦ほぼ一定になった後、蓄熱材が全部溶けてから上昇し始めている。そこで、コントローラ（５０）は、上記温度センサにより温度を検出しながら、この温度が融点を超えて上昇し始める時間を各蓄熱ユニット（２７）について測定し、どの程度まで蓄熱されたかを検出するようにしている。
【００７１】
このように複数の蓄熱ユニット（２７）を用いた場合には、上記熱交換経路における入口側から蓄熱材の融解がはじまり、その出口側に向かって融解が徐々に進むため、各蓄熱ユニット（２７）に上記温度センサ（５５）を設け、融解開始から融解終了までの時間の経過と温度の変化を測定することにより、現在の蓄熱状態（残蓄熱量）や、蓄熱終了時間を予測することが可能となる。特に、この実施形態２では、蓄熱装置（２０）における残蓄熱量の有無だけでなく、その残蓄熱量がどの程度であるかもある程度正確に把握できるので、残蓄熱量に応じて給湯運転時の最大出湯流量を調整するなど、より細かい制御が可能なる。例えば、蓄熱量が少なくなるほど給湯の流量を減らすような制御である。
【００７２】
また、蓄熱材の温度を蓄熱装置（２１，２２）　内の一点で測定した場合には、温度分布による検出誤差により蓄熱が未完了の状態で圧縮機（３３）を停止したり、蓄熱が完了しているのに圧縮機（３３）の運転を継続したりする可能性があるのに対して、蓄熱材と冷媒との熱交換経路の入口側から出口側に温度センサを分散して配置するようにしているので、正確な測定が可能となり、蓄熱時の無駄な運転を確実に防止できる。
【００７３】
この実施形態２においては、複数の給湯運転パターンにおいて個別に定められた最大出湯流量に基づいた流量制御を行うとともに、給湯温度が低下し出すと給湯流量を少なくするように混合弁（４５）と流量制御弁（４６）を調整し、実際の給湯温度の低下を抑える制御を行う点は実施形態１と同様である。また、この実施形態２では、上述したように温度センサ（５５）によって検出した残蓄熱量が低下してきたら給湯の流量を減少させる制御も行う。
【００７４】
−実施形態２の効果−
この実施形態２によれば、実施形態１と同様に、給湯能力の大きい運転パターンでは最大出湯流量を多めに設定し、それよりも給湯能力の小さい運転パターンでは最大出湯流量を少なめに設定して、各運転パターンに見合った流量で給湯運転を行うことにより、能力以上の流量での給湯が続いて蓄熱装置（２０）の残蓄熱量が早期に低下するのを防止できるとともに、運転パターンが切り換わると最大出湯流量も少なくなるので出湯温度が低下するのも防止できる。また、給湯温度が低下し出すと給湯の流量を少なくするように混合弁（４５）と流量制御弁（４６）とを調整して流量を少なくすることにより、実際には給湯温度が低下するのを確実に防止できる。
【００７５】
さらに、この実施形態２では、蓄熱装置（２１，２２）　における蓄熱材と冷媒との熱交換経路の入口側から出口側に分散して配置した温度センサ（５５）により、蓄熱材の温度を複数箇所で測定し、蓄熱装置（２１，２２）　の残蓄熱量を推定するようにしている。そして、残蓄熱量が少なくなったときには給湯の流量を少なくする制御を行うようにしているので、残蓄熱量が早期になくなってしまうのを防止できる。また、このように残蓄熱量に応じて流量制御を行うと、能力の割に流量が多くなって給湯の温度が低下してしまうのも防止できる。
【００７６】
なお、蓄熱装置（２１，２２）　における複数箇所での温度の測定は、蓄熱ユニット（２７）を用いずに一つの蓄熱槽に蓄熱材を充填した構成においても適用することが可能であるが、特にこの実施形態２のように蓄熱装置（２１，２２）　を複数の蓄熱ユニット（２７）が積層された構成として、それぞれの蓄熱ユニット（２７）で蓄熱材の温度を測定すると、各蓄熱ユニット（２７）の温度の変動から、装置全体としての残蓄熱量を正確に推定することが可能となり、安定した制御を行うことができる。
【００７７】
【発明のその他の実施の形態】
本発明は、上記実施形態について、以下のような構成としてもよい。
【００７８】
例えば、上記実施形態１では、ヒートポンプ装置（３０）における冷媒の高圧圧力が蓄熱終了時の圧力に達したかどうかを検知するのに高圧遮断用圧力スイッチ（５１）を用いるようにしているが、図４に示すように、この高圧遮断用圧力スイッチ（５１）の代わりに高圧圧力センサ（５６）を設けて制御を行うようにしてもよい。
【００７９】
この場合、高圧圧力センサ（５６）はコントローラ（５０）に接続される。そして、該高圧圧力センサ（５６）の検出値をコントローラ（５０）に入力して、検出値が蓄熱材の潜熱域での蓄熱終了直後の圧力に達したときに、制御板（５４）を介して圧縮機（３３）を停止する。
【００８０】
また、上記高圧遮断用圧力スイッチ（５１）や高圧圧力センサ（５６）の代わりに温度センサを用い、高圧冷媒の検出温度を換算して圧力を求め、蓄熱運転終了時の制御を行ってもよい。
【００８１】
また、上記実施形態２では、複数の蓄熱ユニット（２７）のそれぞれに温度センサ（５５）を設け、蓄熱材の温度を各ユニット（２７）で検出するようにしているが、温度センサ（５５）は、複数の蓄熱ユニット（２７）のうち少なくとも２つに設けてもよい。このようにしても、温度センサ（５５）を設けた箇所での温度の推移に基づいて、蓄熱装置（２１，２２）　の全体の残蓄熱量を推定し、これを給湯運転時の流量制御に用いることは可能である。
【００８２】
【発明の効果】
請求項１に記載の発明によれば、複数の運転パターンのうち、給湯能力の大きい運転パターンでは最大出湯流量を多く設定し、それよりも給湯能力の小さい運転パターンでは最大出湯流量を少なく設定することができるため、運転パターンに見合った流量で給湯運転を行うことが可能となり、能力以上の給湯を続けることを防止し、残蓄熱量が早期に低下するのを抑えることができる。また、最大出湯流量が制限されているため、運転パターンが切り換わったときには流量を少なくすることにより、給湯温度が急に低下するのを防止できる。
【００８３】
また、請求項２に記載の発明によれば、ヒートポンプ装置（３０）と蓄熱装置（２０）の両方を給湯に用いることで給湯能力の大きい第１給湯運転において最大出湯流量を多く、それよりも給湯能力の小さい第２給湯運転において最大出湯流量を少なく設定することにより、特に第１給湯運転時には残蓄熱量の早期低下を確実に抑えることができる。また、第２給湯運転時には最大出湯流量が少なくなるので、給湯の設定温度を確保できる。そして、第１給湯運転は蓄熱装置（２０）に出湯可能な残蓄熱量がある時にのみ行い、残蓄熱量がないときには第２給湯運転を行うことにより、残蓄熱量に応じた適切な運転が可能となる。
【００８４】
また、請求項３に記載の発明によれば、複数の蓄熱装置（２０）と、各蓄熱装置（２０）に対応する複数のヒートポンプ装置（３０）とを設け、ヒートポンプ装置（３０）を個別にデフロスト運転可能に構成した場合に、どれか一台でデフロストをしているときにはデフロストをしていないときよりも最大出湯流量を抑えるようにしたことにより、給湯の設定温度が低下するのを防止できる。
【００８５】
また、請求項４，５に記載の発明によれば、給湯温度を検出する温度検出手段（５２）と、蓄熱装置（２０）からの温水の流量を制御する流量制御手段（４６）とを設け、給湯運転中に常に給湯温度を検出しながら該給湯温度の低下を抑えるように流量制御を行うようにしている。これにより、例えば請求項６の発明のように、給湯運転中に温度が低下し始めると給湯の流量を減少させる制御を行うことが可能となり、給湯温度を維持することができる。
【００８６】
また、請求項７に記載の発明によれば、蓄熱装置（２０）の残蓄熱量を検出する残蓄熱量検出手段（５０，５５）　を設け、蓄熱装置（２０）の残蓄熱量が少なくなってきたら蓄熱装置（２０）からの温水の流量を減少させる制御を行うようにしているので、第１給湯運転時に残蓄熱量が早期になくなるのを防止でき、給湯温度の低下を抑制できる。
【００８７】
また、請求項８に記載の発明によれば、混合弁（４５）による水と温水との混合比率を給湯の流量に応じて変化させることにより、例えば給湯の設定温度が高めのときは温水の比率を多く、給湯の設定温度が低めの時は温水の比率を少なくする制御を行うことができ、簡単な操作で給湯の設定温度を維持する操作が可能となる。
【図面の簡単な説明】
【図１】本発明の実施形態１に係る給湯システムの概略構成図である。
【図２】実施形態２に係る給湯システムの蓄熱装置を示す構成図である。
【図３】蓄熱装置の各蓄熱ユニットにおける蓄熱時間と温度変化との関係を示すグラフである。
【図４】実施形態１の変形例に係る給湯システムの概略構成図である。
【符号の説明】
（１０）　給湯システム
（２０）　蓄熱装置
（２１）　低温側蓄熱装置
（２２）　高温側蓄熱装置
（２７）　蓄熱ユニット
（３０）　ヒートポンプ装置
（３１）　第１ヒートポンプ装置
（３２）　第２ヒートポンプ装置
（３３）　圧縮機
（４０）　給湯装置
（４１）　給湯用回路
（４２）　追い焚き用回路
（４５）　混合弁
（４６）　流量制御弁（流量制御手段）
（５０）　コントローラ（運転制御手段）
（５２）　給湯温度センサ（温度検出手段）
【図１】
2004101032.tif 000003
【図２】
2004101032.tif 000004
【図３】
2004101032.tif 000005
【図４】
2004101032.tif 000006